(57)【要約】  缶底成形アセンブリに用いるクランプリングアセンブリは、クランプリング保持器と、付勢アセンブリを有するクランプリングと、内側ドームダイと、を備える。クランプリングは、クランプリング保持器に対して浮動し、パンチによる中心からのずれを調整して、ラムの行程の終了時にパンチを芯出しする。ラムの行程の終了時にパンチを更に芯出しするように、わずかに円錐状の内側ドームダイ構造体又はドームプラグを設けることができる。
2018529524.tif 000002
【特許請求の範囲】
【請求項１】
可動ラムが取り付けられた缶体製造機を有する缶底成形アセンブリのクランプリングアセンブリであって、該クランプリングアセンブリが、クランプリング保持器と、クランプリングと、内側ドームダイと、を備え、前記クランプリングが付勢アセンブリを有し、前記クランプリングが、前記クランプリング保持器及び前記内側ドームダイに対して移動可能である前記クランプリングアセンブリ。
【請求項２】
前記クランプリングが周方向チャネルを有し、前記付勢アセンブリが、前記周方向チャネル内に配置された多重封止部材及び連動スライドリングを備える、請求項１に記載のクランプリングアセンブリ。
【請求項３】
前記多重封止部材が、少なくとも半径方向に実質的に圧縮可能である、請求項２に記載のクランプリングアセンブリ。
【請求項４】
前記多重封止部材が、少なくとも２つのほぼ平らな対向端部と、軸線方向に延びる少なくとも２つの隆起部材と、を備える、請求項３に記載のクランプリングアセンブリ。
【請求項５】
前記多重封止部材が周縁隆起部を有し、フルオロエラストマーから構成される、請求項４に記載のクランプリングアセンブリ。
【請求項６】
前記内側ドームダイが、フランジとテーパ状側壁とを有することによって、前記クランプリングが伸張した位置にあるとき、前記クランプリングと前記ドームダイとの間に隙間を提供する、請求項１に記載のクランプリングアセンブリ。
【請求項７】
前記テーパ状側壁が、前記内側ドームダイの前記フランジに対しておよそ９１°の角度をなして配置される、請求項６に記載のクランプリングアセンブリ。
【請求項８】
缶底成形機に用いるクランプリングアセンブリにおいて、
ａ）クランプリング保持器と、
ｂ）連動付勢部材を保持する周方向チャネルを有したクランプリングと、
ｃ）フランジ及びテーパ状側壁を有する内側ドームダイと、
を備える前記クランプリングアセンブリ。
【請求項９】
前記クランプリングの前記連動付勢部材が、スライドリングと、多重封止部材と、を備える、請求項８に記載のクランプリングアセンブリ。
【請求項１０】
前記内側ドームダイの前記テーパ状側壁が、前記フランジに対して約９０．５〜９１．５°の角度範囲をなして配置され、これによって、前記内側ドームダイがわずかに円錐状になる、請求項８に記載のクランプリングアセンブリ。
【請求項１１】
前記多重封止部材が多面断面形状を有する、請求項９に記載のクランプリングアセンブリ。
【請求項１２】
前記多重封止部材が、フルオロエラストマーから構成される、請求項１１に記載のクランプリングアセンブリ。
【請求項１３】
可動ラムが取り付けられた缶体製造機を有する缶底成形アセンブリのクランプリングアセンブリであって、該クランプリングアセンブリが、クランプリング保持器と、クランプリングと、内側ドームダイと、を備え、前記クランプリングが、その中に周方向チャネルと、該周方向チャネル内に配置された連動付勢アセンブリと、を有し、該付勢アセンブリが、多重封止部材と、連動スライドリングと、を備え、これによって、前記クランプリングが、前記クランプリング保持器及び前記内側ドームダイに対して移動可能になる前記クランプリングアセンブリ。
【請求項１４】
前記多重封止部材が、少なくとも半径方向に実質的に圧縮可能である、請求項１３に記載のクランプリングアセンブリ。
【請求項１５】
前記多重封止部材が、少なくとも２つのほぼ平らな対向端部と、軸線方向に延びる少なくとも２つの隆起部材と、を備える、請求項１３に記載のクランプリングアセンブリ。
【請求項１６】
前記多重封止部材が周縁隆起部を有し、フルオロエラストマーから構成される、請求項１５に記載のクランプリングアセンブリ。
【請求項１７】
前記内側ドームダイが、テーパ状側壁を有することによって、前記クランプリングが伸張した位置にあるとき、前記クランプリングと前記ドームダイとの間に隙間を提供する、請求項１３に記載のクランプリングアセンブリ。
【請求項１８】
前記内側ドームダイが、さらに、フランジを有し、前記内側ドームダイの前記テーパ状側壁が、前記フランジに対して約９０．５〜約９１．５°の角度範囲をなして配置され、これによって、前記内側ドームダイがわずかに円錐状になる、請求項１７に記載のクランプリングアセンブリ。
【請求項１９】
前記多重封止部材が、２つの端部と、中間部分と、該中間部分を画定する間隔を置いて配置された１対の周縁隆起部と、を有し、該周縁隆起部が、非圧縮状態にあるときに、前記クランプリングの前記周方向チャネル内において接触関係にあり、前記中間部分が、圧縮状態にあるときに、前記周方向チャネルの方へ外側に膨らむように構成及び配置される、請求項１５に記載のクランプリングアセンブリ。
【請求項２０】
前記内側ドームダイの前記テーパ状側壁が、前記フランジに対しておよそ９１°の角度をなして配置される、請求項１８に記載のクランプリングアセンブリ。
【発明の詳細な説明】
【技術分野】
【０００１】
本出願は、２０１５年９月２日に出願された米国仮特許出願第６２／２１３，４０８号の利益を主張し、当該仮特許出願は、参照により本明細書に全体が援用される。
【０００２】
本アセンブリは、概して、金属容器の製造に用いられるアセンブリに関する。具体的には、アセンブリは、スチール製及びアルミ製のツーピース缶の底部の絞り加工及び成形に用いられる缶底成形アセンブリに用いるクランプリング保持アセンブリに関する。
【発明の概要】
【０００３】
クランプリングを浮動させて缶体製造パンチの位置の変化に対応する、クランプリングアセンブリを開示する。クランプリングアセンブリには、クランプリング及び内側ドームダイ又はドームプラグの芯出し及び付勢制御を向上させる構成部品が配置され構成されている。クランプリング保持器は、浮動クランプリングを収容するのに設けられる。多面形状の圧縮性部材又は多重封止部材(multiseal member)と、連動スライドリングとから構成される付勢アセンブリは、クランプリングの周方向チャネルに設けられ、クランプリングを缶底成形アセンブリ内に付勢又は浮動させる。多重封止部材又は成形された圧縮性部材は、クランプリングの周方向チャネル内にスライドリング及び多重封止部材を安定して配置する断面形状を有する。クランプリングが静止位置にあるときに、クランプリングとドームダイとの間の隙間を可能にし、そして、クランプリングがパンチに嵌め込まれているときに、クランプリングの芯出しを促進するテーパ状側壁を有する、改良されたドームプラグ又は内側ドームダイが設けられる。ただし、例示的な実施形態の範囲内において、浮動クランプリング構成を、直線状の側方線を有する内側ドームダイを有した缶底成形アセンブリ内において利用することによって、クランプリングと緊密に嵌合し、その結果、内側ドームダイが、浮動クランプリングとともに移動する。
【０００４】
例示的な実施形態は、缶底成形機に対するパンチの位置合わせにおいて変化があるときに、材料流れが缶底形状に成形されるように、締付け力を均一に分散させて材料流れを制御することにより、製造パラメータを改善することができる。
【０００５】
また、例示的な実施形態は、パンチ／缶底成形機の位置合わせに関して更に多くの操作機会を提供するのと同時に、所望の仕様を満たす缶を製造することもできる。
【０００６】
さらに、例示的な実施形態は、ラム移動軸線に沿って、そしてこの軸線に対して垂直にクランプリングを空間的に制御し、これによって、更に優れた缶製造品質、生産及び効率をもたらすこともできる。
【０００７】
浮動クランプリングアセンブリの例示的実施形態による、これらの利点及び他の利点は、図面を参照することによって、次の説明から明らかになる。
【図面の簡単な説明】
【０００８】
【図１】クランプリングアセンブリの正面図である。
【図２】クランプリングアセンブリの上面図である。
【図３】図１の線３‐３に沿ったクランプリングアセンブリの断面図である。
【図４】図３の部分４によるクランプリング付勢要素の拡大断面図である。
【図４ａ】図４の多面形状部材又は多重封止部材の拡大断面図である。
【図５】クランプリングアセンブリを利用する缶底成形アセンブリの横断面図である。
【発明を実施するための形態】
【０００９】
クランプリングアセンブリは、缶底成形アセンブリ、例えば、二重駆動缶底成形機(Double Action Bottom Former)という名称の米国特許第４，９３０，３３０号（’３３０号特許）、高サイクル動作用二重駆動缶底成形機(Double Action Bottom Former for High Cyclic Operation)という名称の米国特許第６，４９０，９０４ Ｂ１号（’９０４号特許）、缶底成形アセンブリ(Can Bottom Forming Assembly)という名称の米国特許第７，２９０，４２８ Ｂ２号（’４２８号特許）、及び、缶底成形アセンブリ(Can Bottom Forming Assembly)という名称の米国特許第７，５２６，９３７ Ｂ２号（’９３７号特許）に開示されているものに利用することができ、これらの特許はすべて譲渡により本出願人が所有している。参照により本明細書に援用される、’３３０号、’９０４号、’４２８号及び’９３７号特許の缶底成形アセンブリは、缶体製造機、具体的には、缶体を保持する缶体製造パンチと連動して用いられるように構成及び配置される。’３３０号、’９０４号、’４２８号及び’９３７号特許には、缶底成形アセンブリのドームプラグ位置決め構造体が開示されている。
【００１０】
’３３０号、’９０４号、’４２８号及び’９３７号特許には、缶底成形アセンブリに対する缶体製造アセンブリのパンチ又はラムの動作を含む缶底成形工程が記載されている。缶底成形アセンブリは、通常、缶体製造アセンブリと連動するように構成及び配置される。缶底成形機は、高速サイクル缶体製造パンチ上の缶体を受け入れ、クランプリング及びドームプラグを利用し、絞り加工及び最終成形工程によって、ツーピース缶体底部を成形する。クランプリングという用語は、当業界において、圧力リング、ガイドリング又は外側ダイとしても知られている。ドームプラグという用語は、当業界において、内側ドームダイ又はドーム支柱(dome post)としても知られている。缶、飲料又は食品といった特定の製造では、特定の用語の使用を決定することができる。
【００１１】
ツーピース缶体の製造では、缶体の壁は、缶体製造アセンブリにより成形され、その操作については、参照により本明細書に援用される、’３３０号、’９０４号、’４２８号及び’９３７号特許に記載されている。通常、パンチ、すなわち、缶体製造構造体のパンチは、ツールパックから缶体を缶底成形アセンブリのクランプリングに運ぶ。’４２８号及び’９３７号特許の改良された缶底成形アセンブリでは、クランプリングは、浮動するように構成及び配置され、これによって、パンチをドーム成形アセンブリ(doming assembly)の中心にガイドし、パンチの出口に再び芯出しする。パンチが缶底成形アセンブリに移動すると、クランプリング構造体は、パンチをドームプラグと軸線方向に芯出しする。ツーピース飲料缶を製造する場合、クランプリングは、ドローリングとして用いられ、缶材料がドームに流れ込むときに缶材料に圧力を加え、そして、材料流れを制御し、しわなどの欠陥を防止する。ツーピース食品缶を製造する場合、クランプリングは、ガイド部材として機能し、パンチの溝を、内側ダイ又はドームプラグの嵌合溝と位置合わせする。
【００１２】
ラムの移動軸線に沿って、そしてこの軸線に対して垂直にクランプ又はガイドリングを空間的に制御することは、製造品質、生産及び効率には欠かせない。例示的なクランプリングアセンブリは、パンチに対して缶底成形機のずれがあるときに、材料流れが缶底形状に成形されるように、締付け力を均一に分散させて材料流れを制御する。具体的には、先行技術のクランプリングよりも高い初期抵抗力を付与して、ずれを生じ得るクランプリングのたるみを低減する、浮動クランプリングの付勢アセンブリが提供される。また、付勢アセンブリの要素の構成及び組合せによって、付勢アセンブリの材料の寿命が延び、そして不具合が低減する。さらに、内側ドームダイ又はドームプラグの構成は、クランプリング及びラムの空間的制御を更に促進する。これによって、クランプリングアセンブリ及び改良されたドームプラグは、パンチ／缶底成形機の位置合わせに関して更に多くの操作機会を提供するのと同時に、所望の仕様を満たす缶を製造することができる。
【００１３】
クランプリングアセンブリは、缶底成形アセンブリに用いることができ、缶底成形アセンブリは、浮動クランプリングであって、更に大きなラム又はパンチのずれを調整するように、缶体製造機のラム又はパンチと、内側ドームダイとを芯出しする浮動クランプリングを提供する。
【００１４】
クランプリングアセンブリ１０は、図１〜図４ａに関して示され、説明されており、そして、図５では、缶底成形アセンブリにおける使用が示されている。
【００１５】
図１〜図４ａを参照すると、クランプリングアセンブリ１０には、クランプリング１１の芯出し及び付勢制御を向上させる構成部品が配置され構成されている。浮動クランプリング１１を収容するクランプリング保持器１２が示されている。クランプリング１１を缶底成形アセンブリ内に付勢又は浮動させるように、多面形状の圧縮性部材又は多重封止部材１５と、連動スライドリング１６と、を備えた浮動又は付勢アセンブリ１４が設けられ、缶底成形アセンブリは、例えば、上に参考文献として掲載した、本出願人による’３３０号、’９０４号、’４２８号及び’９３７号特許に開示されている。クランプリング１１を芯出しすることによってパンチ又はラムのずれを更に調整する構成を有した内側ドームダイ１３が設けられている。
【００１６】
図３を参照すると、クランプリング１１内に周方向チャネル１７が示され、周方向チャネルは、スライドリング１６と、スライドリング１６の周方向スロット内に配置される連動多重封止部材１５と、から構成されるように示されている付勢又は浮動アセンブリ１４を収容するように構成及び配置されている。スライドリング１６は、Ｏリング界面材料よりも寿命を長くするようにされた耐摩耗性材料から製造される。例えば、スライドリング１６は、ポリエーテルエーテルケトン熱可塑性プラスチック（ＰＥＥＫ）、又は同様の低摩耗性材料から構成されていてもよい。多重封止部材１５は、可撓性の圧縮性材料から構成され、半径方向に圧縮されるように構成及び配置されることが好ましい。例えば、多重封止部材１５は、フルオロエラストマー材料又は同様の高分子材料から構成されていてもよい。多重封止部材の材料組成物は、高温条件下において機能するように配合することができる。多面断面形状を有し、そして、クランプリング１１の周方向チャネル１７内に配置される多面形状部材又は多重封止部材１５が示されている。半径方向に圧縮できることによって、多重封止部材１５は、可撓性を付与し、ずれたパンチに接触して、クランプリング１１を、パンチ及び対応する缶体との軸線方向の位置合わせを向上させる方向に移動させる。ほぼ矩形の又は多面形状の多重封止部材１５は、図４に示されており、材料の寿命を延ばし、そして材料の螺旋状化による不具合を防止するため、Ｏリングとは対照的に、連動スライドリング１６とともに利用される。さらに、多重封止部材１５は、スライドリング１６と大きな表面積により接触し、これによって、高い初期抵抗力が付与され、ずれを生じ得るクランプリング１１のたるみが低減する。
【００１７】
図４ａに示されているように、多重封止部材１５は、その断面が示され、ほぼ平らな対向端部３０及び３１、並びに、これらの対向端部間に外側に延びる１対の隆起部材３２及び３３を有する。多重封止部材１５の構成によって、クランプリング１１の周方向チャネル１７内に多面形状の多重封止部材１５が安定して配置される。多重封止部材１５とスライドリング１６との組合せは、多重封止部材１５が圧縮状態になく、そして、スライドリング１６がクランプリング保持器１２の壁に接するときに、ドームプラグ１３が位置合わせされる高さを有することが好ましい。図４ａに示されているように、多重封止部材１５の断面形状は、圧縮状態及び非圧縮状態にあるときに、多面形状のリング部材が定位置において安定する性能を示す。外側又は軸線方向に延びる隆起部材３２及び３３は、安定性を付与し、半径方向に圧縮されると、多重封止部材１５の上部、底部及び中間部分が外側に膨らみ、これによって、多面形状のリング部材構造体１５の完全性が付与される。
【００１８】
図３に示されているように、クランプリング１１が、缶体と接しているパンチの前に完全に伸張した位置にあるとき、クランプリングとドームダイ１３との間の隙間を可能にするテーパ状側壁１８を有する内側ドームダイ１３が示されている。隙間は、スライドリング界面に設計された浮動体(float)の量に等しい。例えば、テーパ状側壁１８は、内側ドームダイ１３のフランジ１９に対しておよそ９１°の角度をなして、好ましくはおよそ９０．５〜９１．５°の角度範囲をなして、又は、図３に示されているように、水平方向クランプリング内壁からおよそ０．５〜１．５°の角度範囲をなして、配置されていてもよい。テーパ状側壁１８は、クランプリング１１がドームダイ１３のフランジ１９に封止されるまで、缶体を備えたパンチが、クランプリングを移動させると、クランプリングを徐々に芯出しするように設計されている。フランジ１９は、缶底部の最終形態において、クランプリング１１によって形成された機構が、ドームダイ１３によって形成された機構と確実に同心であるようにする。ただし、浮動クランプリング構成を、テーパ状側壁がなく直線状の側方線を有する内側ドームダイを有した缶底成形アセンブリ内において利用することができ、これによって、クランプリングと緊密に嵌合し、その結果、内側ドームダイが、浮動クランプリングとともに移動する。
【００１９】
図５は、缶底成形アセンブリ２０に用いられているクランプリング保持アセンブリ１０を示している。アセンブリ２０の一端部のロックナット２７内に配置された、クランプリング保持器１２、クランプリング１１、及びドームダイ１３が示されている。クランプリング１１のチャネル１７内に配置された、浮動又は付勢連動アセンブリ１４が示されている。フランジ１９及びテーパ状側壁１８を有する内側ドームダイ１３が示されている。缶底成形アセンブリ２０は、全体として、軸線方向室を形成するシリンダハウジング２１と、ハウジングピストン２５と、を備える。シリンダハウジング２１及びドーナツ型ばね２３に隣接するカバープレート２２が示されている。ドーナツ型ばね２３に隣接し、そして、浮動クランプリングアセンブリ１０とは反対側のアセンブリ２０の端部に配置された、ばね端部プレート２４が示されている。缶体製造装置に対して缶底成形アセンブリ２０を取り付ける外側ハウジング２６及び取付フランジ２８が示されている。
【００２０】
クランプリング保持アセンブリ１０は、缶底成形機に対してパンチのずれがあるときに、材料流れが缶底形状に成形されるように、締付け力を均一にして材料流れを制御することができる。アセンブリ１０は、パンチ／缶底成形機の位置合わせに関して更に多くの操作機会を促進するのと同時に、所望の仕様を満たす缶を製造する。
【００２１】
本明細書に説明し示した浮動クランプリングアセンブリの実施形態に対して多くの変更が可能であるため、上述の説明及び添付図面は、例示として解釈されるべきであり、限定的な意味により解釈されるべきではない。
【図１】
2018529524.tif 000003
【図２】
2018529524.tif 000004
【図３】
2018529524.tif 000005
【図４】
2018529524.tif 000006
【図４ａ】
2018529524.tif 000007
【図５】
2018529524.tif 000008
【国際調査報告】
2018529524.tif 000009